(57)【要約】【課題】  可及的に簡単な構造によって内外双方向に門扉本体を開閉できるようにする。【解決手段】  吊元側門柱１ａの戸先側門柱１ｂの対向面に開閉ヒンジ４の支軸４１を固定し、門扉本体２の縦框２１の上下端に面一に軸受４６を突出配置し、該開閉ヒンジ４をピボットヒンジ形式として門扉本体２を吊支持する。門扉本体２の戸先と戸先側門柱１ｂ間には個別突没自在に突出方向に付勢したラッチボルト６３と、ハンドル３に連動してラッチボルト６３を同時没入するプッシュプレート６６を配置する。ハンドル３操作で開閉が可能となり、門扉本体２を閉鎖方向に押せば内外一方のラッチボルトが門扉本体２の通過を許容し、内外他方のラッチボルト６３が門扉本体２のストッパーとなって、自動的に施錠がなされる。【選択図】  図１
2010265699.tif 000002
【特許請求の範囲】
【請求項１】
吊元側門柱又はコンクリート壁の上下に固定した支軸又は軸受によるヒンジ一方の金具と、門扉本体の吊元側縦框の上下に固定した軸受又は支軸によるヒンジ他方の金具を備え、該ヒンジ一方の金具をそれぞれ上下外側に、ヒンジ他方の金具を上下内側に配置することによって形成したピボットヒンジ形式の開閉ヒンジにより上記吊元側門柱又はコンクリート壁に門扉本体を吊支持することによって該門扉本体を内外双方向に向けて押開き開閉自在としてなることを特徴とする内外双方向開閉自在の門扉。
【請求項２】
上記ヒンジ一方の金具を、上記吊元側門柱又はコンクリート壁から連結部を介して開口面内に突出するとともにヒンジ他方の金具を、門扉本体の吊元側縦框から開口端部側に向けて突出し、開閉ヒンジの回動中心を吊元側門柱又はコンクリート壁から開口面内に離隔配置することによって、開閉ヒンジの内外双方に門扉本体の煽り状の回動スペースを確保し、門扉本体の回動開閉角度を、その閉鎖状態から該回動スペースに至る内外にそれぞれ９０度を上回る角度としてなることを特徴とする請求項１に記載の内外双方向開閉自在の門扉。
【請求項３】
上記門扉本体戸先框と戸先側門柱又はコンクリート壁との間に施錠装置を配置するとともに該施錠装置を、門扉本体の閉鎖によって戸先を戸先側の門柱に自動保持自在とし且つ門扉本体のハンドル操作によって上記施錠保持を自動解除自在とした双方向開閉用としてなることを特徴とする請求項１又は２に記載の内外双方向開閉自在の門扉。
【請求項４】
上記施錠装置を、戸先側の門柱に配置した、個別突没自在として突出時に門扉本体の戸先を挟持する内外一対のキャッチャーと、門扉本体の戸先に配置した、上記内外一対のキャッチャーを同時没入することによってその戸先の挟持を解除自在としたハンドル操作連動の内外一対のプッシャーとを備えてなることを特徴とする請求項３に記載の内外双方向開閉自在の門扉。
【発明の詳細な説明】
【技術分野】
【０００１】
本発明は、敷地側とその外側の通路側の双方に向けて押開きによって内外双方向に開閉自在とした内外双方向開閉自在の門扉に関する。
【背景技術】
【０００２】
この種の押開きによって内外双方向に開閉自在とした門扉として、本発明者による下記特許文献記載のものが知られている。これによれば、門柱の内側面に配置した上下のベース金具と、該上下のベース金具から直線状に突出した直線アームと、門扉本体の吊元側に配置した軸受又は支軸による上下のヒンジ他方の金具を備え、上記ヒンジ一方の金具とヒンジ他方の金具による上下の開閉ヒンジによって門扉本体を内外双方向に向けて押開き開閉自在に支持したものとされ、このとき上記門柱は、その内側面を幅広に、外側面を幅狭の台形状に形成して、内外面間に傾斜スペースを配置し、該傾斜スペースによって、門扉本体の回動開閉角度をその閉鎖状態から内外にそれぞれ９０度を上回る、例えば１００±５度の角度としたものとされている。
【先行技術文献】
【特許文献】
【０００３】
【特許文献１】特開２００９−５２３２３号公報
【発明の概要】
【発明が解決しようとする課題】
【０００４】
この場合、出入に際して門扉本体を内外双方向に押開きすることが可能となるから、例えば、門扉本体を敷地の内側に開閉する、従来の内開き門扉のように、門扉本体の戸先乃至上框を手前に引くようにして内側に引き開きして通路に出るといった動作を必要とせず、内外いずれからも門扉本体を押圧することによって出入が可能となり、従って、車椅子使用者や車椅子を押して出入する介助者が、例えばマンションの専用部分から共用部分の通路に出るときのように、比較的狭いスペースで、門扉本体の開錠操作、門扉本体の回動範囲からの移動、門扉本体の引寄せ閉鎖、再施錠操作といった煩雑な動作を必要とすることなく、門扉の出入を容易に行なうことができ、車椅子使用者、介助者、身体障害者、高齢者等にとって使い勝手を良好とした門扉とすることができるというメリットがある。
【０００５】
しかし乍ら、この場合、門扉本体の回動開閉角度を確保するために、門柱を台形状として、傾斜スペースを、門柱と門扉本体の衝接を防止する緩衝部位とすることによって、門柱を特殊断面形状とする必要があり、一般に使用される断面四角形の門柱を使用することができず、特殊断面形状による成形の煩雑化、搬送スペースの拡大、現場工事の煩雑化、コストアップといった問題点を招く可能性が残されるとともに、例えば、マンションにおけるが如くにコンクリート壁に傾斜スペースを確保できず、また、この場合、門扉本体を持ち上げると、開閉ヒンジが分離して門扉門体を門柱から取り外すことができ、屋外設置を常態とする門扉にあって門扉本体の盗難の可能性が残されている。
【０００６】
本発明はかかる事情に鑑みてなされたものであって、その解決課題とするところは、可及的簡易な構造によって、上記のようなメリットを有して使い勝手を良好とする一方、特殊断面形状の門柱を用いなくても、確実に内外双方に押開き開閉をなし得るようにするとともに門扉本体の盗難可能性を可及的に解消した内外双方向開閉自在の門扉を提供するにある。
【課題を解決するための手段】
【０００７】
上記課題に沿って本発明は、吊元側門柱又はコンクリート壁に固定した上下のヒンジ一方の金具と、門扉本体の吊元側縦框に固定したヒンジ他方の金具によって開閉ヒンジを構成して門扉本体を吊支持するとともに該開閉ヒンジをピボットヒンジ形式とすることによって門扉本体を該開閉ヒンジ間に挟持するように吊支持して、例えば、マンションの専有部分と共用部分を仕切る場合を含めて、比較的狭いスペースに設置しても、該門扉本体の開閉を内外双方向になし得るようにするとともに該開閉ヒンジを容易に抜けないように保持して、門扉本体の抜き取りを防止し得るようにしたものであって、即ち、請求項１に記載の発明を、吊元側門柱又はコンクリート壁の上下に固定した支軸又は軸受によるヒンジ一方の金具と、門扉本体の吊元側縦框の上下に固定した軸受又は支軸によるヒンジ他方の金具を備え、該ヒンジ一方の金具をそれぞれ上下外側に、ヒンジ他方の金具を上下内側に配置することによって形成したピボットヒンジ形式の開閉ヒンジにより上記吊元側門柱又はコンクリート壁に門扉本体を吊支持することによって該門扉本体を内外双方向に向けて押開き開閉自在としてなることを特徴とする内外双方向開閉自在の門扉としたものである。
【０００８】
請求項２に記載の発明は、上記に加えて、上記ピボットヒンジ形式の開閉ヒンジの回動中心を、上記吊元側門柱又はコンクリート壁から突出配置することによって、該開閉ヒンジの内外双方に門扉本体を煽り状に開閉する回動スペースを配置することによって、門扉本体の開閉に際して、その回動開閉角度を閉鎖状態から該回動スペースに至ることによって内外双方向に対して９０度を上回る角度とすることによって、車椅子の出入を含めて広い開口を得られて使い勝手を更に良好なものとするように、これを、上記ヒンジ一方の金具を、上記吊元側門柱又はコンクリート壁から連結部を介して開口面内に突出するとともにヒンジ他方の金具を、門扉本体の吊元側縦框から開口端部側に向けて突出し、開閉ヒンジの回動中心を吊元側門柱又はコンクリート壁から開口面内に離隔配置することによって、開閉ヒンジの内外双方に門扉本体の煽り状の回動スペースを確保し、門扉本体の回動開閉角度を、その閉鎖状態から該回動スペースに至る内外にそれぞれ９０度を上回る角度としてなることを特徴とする請求項１に記載の内外双方向開閉自在の門扉としたものである。
【０００９】
請求項３に記載の発明は、同じく上記に加えて、門扉本体縦框と戸先側門柱との間で施錠を可能とする一方、該施錠を、門扉本体の閉鎖によって自動的に施錠可能とし且つハンドル操作によって自動的に施錠解除可能として使い勝手の良好なものとするように、これを、上記門扉本体戸先框と戸先側門柱又はコンクリート壁との間に施錠装置を配置するとともに該施錠装置を、門扉本体の閉鎖によって戸先を戸先側の門柱に自動保持自在とし且つ門扉本体のハンドル操作によって上記施錠保持を自動解除自在とした双方向開閉用としてなることを特徴とする請求項１又は２に記載の内外双方向開閉自在の門扉としたものである。
【００１０】
請求項４に記載の発明は、同じく上記に加えて、上記施錠装置を、可及的簡易な構造によって、上記自動的な施錠と施錠解除を確実に行なうに適した形態のものとするように、これを、上記施錠装置を、戸先側の門柱に配置した、個別突没自在として突出時に門扉本体の戸先を挟持する内外一対のキャッチャーと、門扉本体の戸先に配置した、上記内外一対のキャッチャーを同時没入することによってその戸先の挟持を解除自在としたハンドル操作連動の内外一対のプッシャーとを備えてなることを特徴とする請求項３に記載の内外双方向開閉自在の門扉としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、吊元側門柱又はコンクリート壁に固定した上下のヒンジ一方の金具と、門扉本体の吊元側縦框に固定したヒンジ他方の金具によって開閉ヒンジを構成して門扉本体を吊支持するとともに該開閉ヒンジをピボットヒンジ形式とすることによって門扉本体を該開閉ヒンジ間に挟持するように吊支持して、例えば、マンションの専有部分と共用部分を仕切る場合を含めて、比較的狭いスペースに設置しても、該門扉本体の開閉を内外双方向になし得るようにするとともに該開閉ヒンジを容易に抜けないように保持して、門扉本体の抜き取りを防止し得るようにするようにして、可及的簡易な構造によって、車椅子使用者、介助者、身体障害者、高齢者等にとっても、門扉の出入を容易になし得て、使い勝手を良好とする一方、特殊断面形状の門柱を用いなくても、確実に内外双方に押開き開閉をなし得るようにするとともに門扉本体の盗難可能性を可及的に解消した内外双方向開閉自在の門扉を提供することができる。
【００１３】
請求項２に記載の発明は、上記に加えて、上記ピボットヒンジ形式の開閉ヒンジの回動中心を、上記吊元側門柱又はコンクリート壁から突出配置することによって、該開閉ヒンジの内外双方に門扉本体を煽り状に開閉する回動スペースを配置することによって、門扉本体の開閉に際して、その回動開閉角度を閉鎖状態から該回動スペースに至ることによって内外双方向に対して９０度を上回る角度とすることによって、車椅子の出入を含めて広い開口を得られて使い勝手を更に良好なものとすることができる。
【００１４】
請求項３に記載の発明は、同じく上記に加えて、門扉本体縦框と戸先側門柱との間で施錠を可能とする一方、該施錠を、門扉本体の閉鎖によって自動的に施錠可能とし且つハンドル操作によって自動的に施錠解除可能として使い勝手の良好なものとすることができる。
【００１５】
請求項４に記載の発明は、同じく上記に加えて、上記施錠装置を、可及的簡易な構造によって、上記自動的な施錠と施錠解除を確実に行なうに適した形態のものとすることができる。
【図面の簡単な説明】
【００１６】
【図１】門扉の背面図である。
【図２】門扉の平面図である。
【図３】門扉本体吊支持の状態を示す拡大平面図である。
【図４】門扉本体の開閉角度を示す拡大図である。
【図５】門柱と門扉本体の関係を示す拡大背面図である。
【図６】門扉本体の施錠装置を示す拡大平面図である。
【図７】施錠装置の構造を示す横断面図である。
【図８】施錠装置による開錠状態を示す横断面図である。
【図９】施錠状態の構造を示す背面図である。
【図１０】他の例を示す門扉の背面図である。
【図１１】門扉本体吊支持の状態を示す拡大平面図である。
【図１２】コンクリート壁と門扉本体の関係を示す拡大背面図である。
【図１３】他の例の門扉本体の施錠装置を示す拡大平面図である。
【発明を実施するための形態】
【００１７】
以下図面の例に従って本発明を更に具体的に説明すれば、図１乃至図９においてＡは内外双方向開閉自在の門扉であり、該門扉Ａは、吊元側門柱又はコンクリート壁、本例にあっては吊元側門柱1ａの上下に固定した支軸又は軸受、本例にあっては支軸４２によるヒンジ一方の金具４１と、門扉本体２の吊元側縦框２１の上下に固定した軸受又は支軸、本例にあっては軸受４７によるヒンジ他方の金具４６を備え、該ヒンジ一方の金具４１をそれぞれ上下外側に、ヒンジ他方の金具４６を上下内側に配置することによって形成したピボットヒンジ形式の開閉ヒンジ４により上記吊元側門柱１ｂに門扉本体２を吊支持することによって該門扉本体２を内外双方向に向けて押開き開閉自在としたものとしてあり、このとき、該門扉Ａにあって、上記ヒンジ一方の金具４１は、これを、上記吊元側門柱１ａから連結部４４を介して開口面内に突出するとともにヒンジ他方の金具４６を、門扉本体２の吊元側縦框２１から開口端部側に向けて突出し、開閉ヒンジ４の回動中心を吊元側門柱１ａから開口面内に離隔配置することによって、開閉ヒンジ４の内外双方に門扉本体２の煽り状の回動スペースを確保し、門扉本体２の回動開閉角度を、その閉鎖状態から該回動スペースに至る内外にそれぞれ９０度を上回る角度としたものとしてある。
【００１８】
門柱は、中空の断面四角形、特に方形の吊元側門柱１ａと、中空の断面倒Ｔ字状の戸先側門柱１ｂの異なる断面形状のものとして、それぞれ下端を地中に埋込むことによって起立設置し、上端にキャップ１１を被嵌配置してその中空部を閉塞したものとしてあり、門扉本体２は、対向する吊元側及び戸先側の縦框２１と上下の横框２２を框組みし、該框組み内に多数の横桟を配置した横格子のものとして、その吊元側縦框２１を上記吊元側門柱１ａに吊支持して、吊元側及び戸先側の一対の門柱１ａ、１ｂ間に配置することによって門扉Ａを形成したものとしてある。
【００１９】
開閉ヒンジ４をなす、本例にあって支軸４２によるものとしたヒンジ一方の金具４１は、ネジ孔を透設した取付部４３と、該取付部４３から、例えば、該取付部４３と平面Ｔ字状をなすように門扉Ａの面内方向に短突出した連結部４４と、該連結部４４に対して垂直に配置した太径にして中央の軸穴に支軸４２を嵌合して起立固定した台座部４５とを備えて形成し、上記取付部４３を吊元側門柱１ａの側面、即ち、一対の門柱１ａ、１ｂの対向面上下に対接して上記ネジ孔からのネジによって該吊元側門柱１ａに固定してある。
【００２０】
同じく開閉ヒンジ４をなす、本例にあって軸受４７によるものとしたヒンジ他方の金具４６は、同じくネジ孔を透設した太径の台座部４８と、該台座部４８に上記支軸の外径に合せてその回動を許容する内径の軸受４７を備えて形成し、該台座部４８を門扉本体２の吊元側側面、即ち、吊元側門柱１ａの側面に対向する対向面上下に対接して、同様に上記ネジ孔からのネジによって該門扉本体Ａに固定してある。
【００２１】
このとき、上記吊元側門柱１ａに固定した、本例にあって支軸としたヒンジ一方の金具４１は、その上下間隔、特に支軸を起立固定した台座部４５の間隔を、門扉本体２の吊元側縦框２１の高さと同等乃至これよりやや大きくして、該台座部４５間に該縦框２１を受入可能とし、また、上記取付部４３から短突出した連結部４４を有することによって、吊元側門柱１ａの側面から、門扉Ａの面内方向に、例えば数ｃｍ程度入り込んだ離隔位置にこれを配置する一方、門扉本体２の側面に固定した上下のヒンジ他方の金具４７は、該門扉本体２の吊元側縦框２１の上下端と面一乃至略面一に、その門扉本体２に対する固定を行なってある。
【００２２】
このようにヒンジ一方の金具４１とヒンジ他方の金具４６をそれぞれ吊元側門柱１ａ及び門扉本体２に配置することによって、これらヒンジ一方及び他方の金具４１、４６によって形成する開閉ヒンジ４は、これをピボットヒンジ形式のものとして、吊元側門柱１ａに対して門扉本体２の内外双方向に向けた開閉を可能とするとともに上記ヒンジ一方の金具４１の門扉Ａの面内方向離隔位置を門扉本体２の回動中心とすることによって、該ヒンジ一方の金具４１の内外に門扉本体２が煽り状に開閉する回動スペースを確保し、門扉本体２は、その開閉角度を、門扉本体２の吊元側縦框２１が吊元側門柱１ａに接触する位置まで又は戸先側縦框２１がコンクリート壁面１ｃ等に接触する位置までの、閉鎖状態から該回動スペースに入り込んだ内外方向にそれぞれ９０度を上回る角度、例えば１００度程度の角度、内外双方の合計で２００度程度の角度とすることができ、車椅子の通過等を含めて充分に広い開口を得ることができるようにしてある。
【００２３】
図中６は、本例の門扉Ａにあって、門扉本体２と戸先側門柱１ｂ間に配置した双方向開閉用の施錠装置であり、該施錠装置６は、これを、門扉本体２の閉鎖によって戸先を戸先側門柱１ｂに自動保持自在とし且つ門扉本体２のハンドル３操作によって上記施錠保持を自動解除自在とした双方向開閉用としてあり、本例にあって、該施錠装置６は、これを、戸先側門柱１ｂに配置した、個別突没自在として突出時に門扉本体２の戸先を挟持する内外一対のキャッチャー６１と、門扉本体２の戸先に配置した、上記内外一対のキャッチャー６１を同時没入することによってその戸先の挟持を解除自在としたハンドル３操作連動の内外一対のプッシャー６４とを備えたものとしてあり、これによって、上記門扉本体２の閉鎖による戸先同士の自動保持とハンドル３操作による自動解除を行なうようにしてある。
【００２４】
本例のキャッチャー６１は、内外一対の、例えば突出方向に付勢して個別突没自在とした、例えばラッチボルト６３を用いて、その傾斜面を内側及び外側に露出し、垂直面を相互に対向するように、戸先側門柱１ｂの内外面に配置することによって、該ラッチボルト６３の対向する垂直の対向面を保持部として、門扉本体２の戸先側縦框２１を保持するようにしてあり、本例にあって該キャッチャー６１は、ケース６２に対してそれぞれ突出方向に付勢した一対のラッチボルト６３を装着配置し、該ケース６２を、上記断面倒Ｔ字状とした戸先側門柱１ｂの内外Ｌ字部に、該ラッチボルト６３を戸先側門柱１ｂの側面、即ち、門扉Ａの面内方向に向けて突出するように、それぞれネジ固定してある。
【００２５】
これによって、一方のラッチボルト６３の傾斜面に、閉鎖する門扉本体２の戸先側縦框２１が衝接することによって、該ラッチボルト６３がその付勢力に抗して没入し、これに対向して配置した他方のラッチボルト６３、特にその垂直の対向面が、該縦框２１を受止めて、門扉本体２を閉鎖定位置に受止めするとともに上記一方のラッチボルト６３がその付勢力によって突出復帰して、該門扉本体２を戸先側門柱１ｂに施錠保持するようにしてある。
【００２６】
本例のプッシャー６４は、門扉本体２の戸先側縦框２１に、上記内外一対のラッチボルト６３を同時押圧するようにハンドル３の操作、本例にあってはレバーハンドルの押下げ操作によってラッチボルト６３側に向けて突出するように、該レバーハンドル３の戸先側縦框２１内の回転軸３１に回動リンク６７を介して連結したプッシュプレート６６をケース６５に装着配置し、該ケース６５を、上記内外一対のラッチボルト６３と同様に戸先側縦框２１の内外面、即ち、正面及び背面に固定して、その突出時にプッシュプレート６６が内外一対のラッチボルト６３を没入し得るようにしてある。このとき、本例のレバーハンドル３は、ハウジングと回転軸との間にバネ６８を介設して、該レバーハンドル３を水平配置するように付勢してあり、これによって、該レバーハンドル３の押下げ操作によって突出したプッシュプレート６６を、該レバーハンドル３から手を離すことによって、レバーハンドル３の水平配置の復帰に伴ってケース６５内に自動的に没入復帰するようにしてある。
【００２７】
以上のように構成した本例の門扉Ａは、敷地側及び通路側のいずれからも該門扉本体２を押開きしてその出入を行なうことが可能となり、例えば、車椅子利用者、車椅子の介助者、高齢者、障害者等を含めて、門扉Ａの出入が極めて容易になる。また、吊元側門柱1ａの内外に煽り状の回動スペースを配置して門扉本体２の回動開閉角度を内外にそれぞれ１００度程度としたことによって、開口が広く得られて、従来の門扉におけるように、門扉本体が開口内に残存することによる開口狭小化とこれにより出入障害となることもない。
【００２８】
更に、施錠装置６はハンドル３の操作によって門扉本体２の施錠保持を同時解除し得るから、レバーハンドル３を押下げるだけで、門扉本体２を開閉することができる上、出入後には押し開いた門扉本体２を押すだけで、キャッチャー６１の内外一方が門扉本体２を受入れ、内外他方が門扉本体２のストッパーとなることによって、門扉本体２を自動的に閉鎖状態とすることができ、例えば敷地側から閉めた門扉本体２が通路側に飛び出して通行人に当ったりすることも有効に防止できる。
【００２９】
図中５は、開閉ヒンジ４の支軸４２と軸受４７間に介装したワッシャーを示す。
【００３０】
図１０乃至図１２は、他の例を示すもので、本例にあって上記内外双方に開閉自在とした門扉本体２は、これを、例えばマンションの専用部分と共用部分を仕切る場合に用いる如くに、ヒンジ一方の金具４１をコンクリート壁１ｃの上下に固定し、該ヒンジ一方の金具４１と、門扉本体２の吊元側縦框２１の上下に固定したヒンジ他方の金具４６とによって形成したピボットヒンジ形式の開閉ヒンジ４によりコンクリート壁１ｃに門扉本体２を吊支持することによって該門扉本体２を内外双方向に向けて押開き開閉自在とした例である。
【００３１】
本例にあって該ヒンジ一方の金具４１は、これを上記と同様に支軸４２によるものとしてあり、本例にあって該ヒンジ一方の金具４１は、上記取付部４３と連結部４４を除いた、垂直に配置した太径にして中央の軸穴に上記支軸４２を嵌合して起立固定した台座部４５によって形成してあり、該台座部４５に透設したアンカー孔を介して配置して該台座部４５を貫通したホールインアンカーによってコンクリート壁１ｃの壁面上下に固定してある。
【００３２】
図１３は、施錠装置６の他の例を示すもので、本例にあって該施錠装置６のキャッチャー６１を、コンクリート壁１ｃに固定した例であり、本例にあってキャッチャー６１は、コンクリート壁１ｃに、門扉本体２の戸先側縦框２１と略同じ内外幅（厚さ）の取付枠８を配置し、該取付枠８の内外面に、同様にラッチボルト６３のケース６２をネジ止めすることによって、その固定を行ってあり、このとき該取付枠８は断面Ｃ字状とし、その開口に、ホールインアンカーによってコンクリート壁に固定した断面Ｕ字状の固定枠８１を受入れ固定して、該固定枠８１を介してコンクリート壁に対する固定を行なったものとしてある。
【００３３】
図１０乃至図１３のその余は上記例と変らないので、同一符号を付して重複する説明を省略する。
【００３４】
以上のように構成した本例の門扉Ａも、コンクリート壁１ｃに対して、上記ピボットヒンジ形式の開閉ヒンジ４を用いて門扉本体２を吊支持するとともに該コンクリート壁１ｃ又は戸先側門柱１ｂとの間に施錠装置６を配置して、同様に、押開きによる出入を極めて容易になし得るとともに門扉本体２の回動開閉角度を内外方向にそれぞれ１００度程度とする広い開口を得られるものとなり、また、レバーハンドル３の押下げによって門扉本体２を開閉でき且つ出入後に押し開いた門扉本体２を押すだけで、同様に門扉本体２を受入れて自動的に門扉本体２を閉鎖状態とし、同じく、敷地側乃至専用部分から閉めた門扉本体２が通路側に飛び出すことも有効に防止できる。
【００３５】
図示した例は以上のとおりとしたが、ヒンジ一方の金具を軸受によるものとし、ヒンジ他方の金具を支軸によるものとすること、コンクリート壁にキャッチャーを固定するとき、上記取付枠に代えて、短寸の取付用金具を用いて、これを介してコンクリート壁に対する固定を行なうようにすること等を含めて、内外双方向開閉自在の門扉、門柱、門扉本体、開閉ヒンジ、ヒンジ一方の金具、ヒンジ他方の金具、必要に応じて用いる施錠装置、キャッチャー、プッシャー等の材質、形状、構造、これらの関係、これらに対する付加等は、上記発明の要旨に反しない限り様々な形態のものとすることができる。
【符号の説明】
【００３６】
Ａ  内外双方向開閉自在の門扉
１ａ  吊元側門柱
１ｂ  戸先側門柱
１ｃ  コンクリート壁
１１  キャップ
２  門扉本体
２１  縦框
２２  横框
３  ハンドル
３１  回転軸
４  開閉ヒンジ
４１  ヒンジ一方の金具
４２  支軸
４３  取付部
４４  連結部
４５  台座部
４６  ヒンジ他方の金具
４７  軸受
４８  台座部
５  ワッシャー
６  施錠装置
６１  キャッチャー
６２  ケース
６３  ラッチボルト
６４  プッシャー
６５  ケース
６６  プッシュプレート
６７  回動リンク
６８  バネ
７  ホールインアンカー
８  取付枠
８１  固定枠
【図１】
2010265699.tif 000003
【図２】
2010265699.tif 000004
【図３】
2010265699.tif 000005
【図４】
2010265699.tif 000006
【図５】
2010265699.tif 000007
【図６】
2010265699.tif 000008
【図７】
2010265699.tif 000009
【図８】
2010265699.tif 000010
【図９】
2010265699.tif 000011
【図１０】
2010265699.tif 000012
【図１１】
2010265699.tif 000013
【図１２】
2010265699.tif 000014
【図１３】
2010265699.tif 000015